(57)【要約】【課題】  チューブと接続するための構造が簡単であると共に接続が簡単に行え、また、毛髪にロッドを巻き付ける時に該ロッドが一定の向きに揃えることが簡単に行えるようにした。【解決手段】  内面に仕切り壁７５が一体的に形成されると共に該仕切り壁によって仕切られた端部までの長さが長い側の外周に多数の空気流通孔７６が形成された円筒状に形成したロッド本体７と、該ロッド本体の前記空気流通孔が形成された側の端部に対して着脱自在に取付けられ、吸引手段に接続された係合部材９が回動自在に係合される係合部８３を有する閉塞部材とから構成したパーマ用ロッドである。【選択図】        図２
2008036193.tif 000002
【特許請求の範囲】
【請求項１】
内面に仕切り壁が形成されると共に該仕切り壁によって仕切られた端部までの長さが長い側の外周に多数の空気流通孔が形成された円筒状に形成したロッド本体と、
該ロッド本体の前記空気流通孔が形成された側の端部に対して着脱自在に取付けられ、吸引手段に接続された係合部材が回動自在に係合される係合部を有する閉塞部材と、
から構成したことを特徴とするパーマ用ロッド。
【請求項２】
内面に仕切り壁が形成されると共に該仕切り壁によって仕切られた端部までの長さが長い側の外周に多数の空気流通孔が形成された円筒状に形成したロッド本体と、
該ロッド本体の前記空気流通孔が形成された側の端部に対して着脱自在に取付けられ、内面に中心部分の肉厚が厚く外周部分の肉厚が薄く形成され前記ロッド本体の空気流通孔よりの流体の溜まり部を構成するための蓋部が形成されると共に前記肉厚部に吸引手段に接続された係合部材が回動自在に係合される係合部が開口され、かつ、前記溜まり部よりの流体を前記係合部に流すための流通孔が形成された閉塞部材と、
から構成したことを特徴とするパーマ用ロッド。
【請求項３】
前記係合部材の前記閉塞部材に回動自在に係合される部分はボール部となっており、かつ、該ボール部が係合される閉塞部材には円弧状の係合部となっており、また、前記ボール部の反対側端部には吸引チューブを接続するための円筒部が一体的に形成されていることを特徴とする請求項１または２記載のパーマ用ロッド。
【請求項４】
前記ロッド本体と前記閉塞部材との接合面を波形等の凹凸形状とすることで、ロッド本体に対して閉塞部材が回転しないようにすると共に毛髪が継ぎ目部分に巻き込まれないようにしたことを特徴とする請求項１または２記載のパーマ用ロッド。
【請求項５】
前記閉塞部材は、前記ロッド本体と異なる色に着色して、閉塞部材の方向を明確にして整合部材の装着方向が容易に判るようにしたことを特徴とする請求項１または２記載のパーマ用ロッド。
【請求項６】
前記閉塞部材を少なくとも柔軟な材料の合成樹脂で構成すると共に端面に多数の凸状部を形成し、閉塞部材に対して係合部材を斜め方向から嵌め込む際に前記凸状部が変形して嵌め込みが容易にできるようにしたことを特徴とする請求項１または２記載のパーマ用ロッド。
【請求項７】
前記ロッド本体の前記仕切り壁によって仕切られた短い側の外周面に小孔を開口してパーマ用薬液等の液体が内部に滞留しないようにしたことを特徴とする請求項１または２記載のパーマ用ロッド。
【発明の詳細な説明】
【技術分野】
【０００１】
本発明は、パーマ処理を施す時に毛髪に巻き付けるロッド、特に、毛髪を加温雰囲気となし、この雰囲気状態においてロッド内を負圧状態とすることでパーマ処理の時間を短縮するようにしたパーマ処理装置において使用するのに適したパーマ用ロッドに関する。
【背景技術】
【０００２】
従来におけるパーマネントウェーブの処理方法としては、ロッド、例えば、特開２００１−２６９２１４や特開２００２−５１８２６あるいは登録実用新案第３１１９０８１号に示されるような合成樹脂によって形成されたロッドに毛髪を巻き付け、毛髪を巻き付けた後にロッドの両端に形成されている複数の突起を利用して輪ゴムを掛け渡して毛髪にロッドに取付け、この状態において還元剤を含むパーマ第１液を毛髪に塗布し毛髪を軟化膨潤させた後、毛髪に付着した還元剤を洗い流し、その後、酸化剤を含むパーマ第２液を塗布し毛髪の内部の結合を酸化固定し、ロッドを取り外し洗髪を乾燥させるという処理であった。
【０００３】
しかし、この一般的なパーマネントウェーブ処理方法にあっては、全ての処理が終わって乾燥させると毛髪のウェーブが掛かった部分が大きくなる（ダレる）という欠点があり、また、そのウェーブ状態を保持する期間も十分に満足するものではなかった。
【０００４】
そこで、前記した処理方法における第１剤により毛髪を軟化膨潤させた後に水洗いし余分な水分を拭き取った後、加熱可能なロッドを毛髪に巻き付けてロッドを加熱した後に、第２剤を塗布して毛髪の内部の結合を酸化固定し、ロッドを外し毛髪を乾燥させるという処理方法によって前記した問題点を解決していた。
【特許文献１】特開２００１−２６９２１４
【特許文献２】特開２００２−５１８２６
【特許文献３】登録実用新案第３１１９０８１号
【発明の開示】
【発明が解決しようとする課題】
【０００５】
ところで、前記した処理方法にあっては、ロッドに何十かに重なって巻かれている毛髪を、ロッドからの伝熱のみであるため、ヘアアイロンおよび加熱ロッドの温度を高くする必要がある。ヘアアイロンの場合は１８０℃以上、加熱ロッドの場合は１００℃以上の温度で処理が行われている。
【０００６】
このように、高温で加熱処理を行うため、毛髪の損傷が大きくなる。特に、毛髪全体において損傷度が高い毛先部分が、ロッドの内側に巻かれた状態となり、直接ロッドの伝熱を受けるため、より毛髪損傷を進める結果となる。また、被施術者の頭部にヘアアイロンまたは加熱ロッドを接近させるため、被施術者の頭部が熱くなって不快感を与えるといった問題があった。
【０００７】
そこで、本出願人会社は前記した問題点を解決するために、毛髪の全体に対して温風を送風し、毛髪を介して送風された温風をロッド内部から吸引することで、乾燥温度を低く抑えて毛髪の損傷を低減し、被施術者の高温による熱さと危険性が少なく、また、ロッドに忠実なウェーブが形成され、乾燥してもウェーブが緩くならず、かつ、初期のウェーブ状態を長期間持続することができるパーマネントウェーブ処理方法およびその装置を開発した。
【０００８】
ここで、本出願人が開発したパーマネントウェーブ処理装置の概要を図６、図７と共に説明する。
パーマネントウェーブの処理装置は、キャスターが取付けられた基台１には吸引手段２１、帰還送風手段２２、外気送風手段２３、気水分離手段２４が取付けられ、これらの手段２１〜２４はケース３によって覆われている。また、ケース３の上面前方には、該ケース３に対して回動自在に半円状のアーム４が取付けられ、このアーム４とケース３の天板３１の一部にわたってフード５が取付けられている。このフード５は柔軟性を有する不通気性の布によって構成され、被施術者の額から襟部にわたる頭部を覆う構造となっている。
【０００９】
また、前記天板３１には前記各種の手段を駆動する時間を設定するためのタイマー用スイッチや、フード５内の温度や湿度を設定するための温度・湿度設定用スイッチや、前記設定した状態を表示する液晶表示板等を有するパネル３１ａが取付けられている。
【００１０】
前記ケース３内に収容されている吸引手段２１は複数（図示にあっては２本）の吸引パイプ２１ａと、該吸引パイプ２１ａの下端が後に詳述する気水分離手段２４を介して接続されたモータと吸引ファンとからなる吸引室２５とから構成されている。前記吸引パイプ２１ａの上端には多数の差し込み口（図示せず）が形成された蓋板によって塞がれている。
【００１１】
前記吸引パイプ２１ａの前記蓋板に開口されている差し込み口にはチューブ６が出入自在で、かつ、差し込み口とチューブ６との間から空気が漏れないようにした状態で差し込まれている。そして、チューブ６の先端には一端が閉塞され周縁に多数の孔が開口されたロッドＲが取付けられる。
【００１２】
前記した吸引手段２１にあっては、吸引室２５によって吸引が行われているので、該吸引室２５に接続されている気水分離手段２４内は負圧状態となる。該気水分離手段２４内が負圧状態になると吸引パイプ２１ａ内も負圧状態となるので、該吸引パイプ２１ａにチューブ６を介して接続されているロッドＲ内も負圧状態となり、ロッドＲに巻かれている毛髪に塗布されているパーマ薬剤がロッドＲの空気流通孔から吸引されて気水分離手段２４内に供給される。
【００１３】
ここで、薬剤の薬液を含んだ空気は、気水分離手段２４によって水分と空気とに分離されて空気だけが吸引室２５内に供給される。なお、薬剤等の水分は気水分離手段２４内に貯留されるが、就業後において店員等によって廃棄する構成となっている。
【００１４】
前記気水分離手段２４において水分が除去された空気中には薬剤の臭いが含まれているので、気水分離手段２４と吸引室２５とを結ぶ配管中に臭気を吸着・分解する臭気手段（図示せず）を配置しておくことにより、吸引室２５内に臭気が入り込むことがないようになっている。
【００１５】
前記吸気室２５の排出側には循環送風手段２３の帰還パイプ２３ａが接続されていおり、該帰還パイプ２３ａの上端は天板３１より突出しフード５内に開口している。従って、吸引室２５で吸引された空気は帰還パイプ２３ａを介してフード５内に供給される。なお、循環送風手段２３が不要である場合には、吸気室２５に排気管２５ａを取付けて外部に排気する。また、循環送風手段２３を利用してフード５に戻す場合と、排気管を２５ａを利用して排気する場合の何れかを選択可能に構成する場合には、ダンパー等の切換手段によって行えるようになっている。
【００１６】
次に、外気送風手段２２について説明するに、前記吸気室２５内に隣接して送風室２６が設けられ、前記モータを共用して送風ファンを配置して外気導入パイプ２６ａより送風室２６内に外気を取り込む。そして、取り込まれた外気は先端が天板３１より突出してフード５内に開口している送風パイプ２６ａ内に供給される。ここで、送風パイプ２２ａにはヒーター２２ｂが内蔵されているので、吸引された外気は加熱されてフード５内に供給される。
【００１７】
なお、図示していないが、毛髪の温度や湿度を検出するためのセンサがフード５の所望位置あるいはロッドＲ内に配置され、該センサよりのリード線はパネル３１ａに組み込まれている温度制御回路に接続されている。
【００１８】
次に、この実施例における動作について説明するに、先ず、フード５が取付けられているアーム４を上方に回動した状態で前面側に配置された椅子に被施術者を着座させ、この状態において吸引手段２１よりロッドＲが取付けられているチューブ６を引き出し、該ロッドＲに被施術者の毛髪を巻き付ける。
【００１９】
そして、アーム４を水平状態に戻してフード５を被施術者の頭部に被せ、パネル３１ａにおいて温風の温度設定、すなわち、ヒーター２２ｂによる送風温度の設定と処理時間を設定してパーマネントウェーブ処理を開始する。そして、処理が開始されるとヒーター２２ｂに通電が行われると共に送風室２６から外気の吸引が行われ外気導入パイプ２２ａに導入され、導入された外気はヒーター２２ｂで加熱されフード５に供給される。一方、吸引室２５において吸引が開始されるので、ロッドＲ内が負圧状態となって前記したようにフード５内の温かい空気は毛髪を介して吸引され吸引パイプ２１ａを介して気水分離手段２４に導入される。
【００２０】
この気水分離手段２４において吸引された温風に含まれている水分（主にパーマ薬剤）が分離されて温風のみが吸引室２５内に吸引される。この吸引室２５において帰還送風手段２３側が開放されている場合には、吸引室２５より帰還パイプ２３ａに温風が供給されるので、この温風は脱臭手段を介してフード５内に戻される。
【００２１】
そして、フード５は帰還パイプ２３ａよりの温風と送風パイプ２２ａよりの温風とが流れ込むので、送風パイプ２２ａより温風を供給する場合よりもフード５内は高温となるので、ヒーター２２ｂの電力を少なくでき省エネ化を図ることができる。
【００２２】
このようにフード５内には温風が供給されるが、ここで、センサが常時フード５内の温度あるいは毛髪の温度を監視していることから、最初に設定した温度より高くなった場合にはヒーター２２ｂへの通電を停止あるいは電力を低下させて所定の温度に制御し、また、低くなった場合にはヒーター２２ｂへの電力を上げて所定の温度に制御することで、フード５の温度は一定に保たれる。
【００２３】
そして、このような制御を行い設定した時間に達すると全ての動作が終了してブザー等を駆動して施術者に知らせることで、施術者はアーム４を上げてフード５を被施術者の頭部から避けて毛髪からロッドＲを取り外し、チューブ６を吸引パイプ２１ａ内に押し込み作業は終了するものである。
【００２４】
このようなパーマネントウェーブ処理装置に使用するロッドとしては、前記した従来のようなロッドを使用することはできず、新規なロッドが必要となった。すなわち、チューブ６を接続するための接続手段、チューブを介してロッド内を負圧状態とするための構造、ロッドに毛髪を巻き付けた時にチューブを接続する接続手段が一定の方向に揃わせる等の必要が生じた。
【００２５】
本発明は前記した問題点を解決せんとするもので、その目的とするところは、チューブと接続するための構造が簡単であると共に接続が簡単に行え、また、毛髪にロッドを巻き付ける時に該ロッドが一定の向きに揃えることが簡単に行えるようにしたパーマ用ロッドを提供せんとするにある。
【課題を解決するための手段】
【００２６】
本発明のパーマ用ロッドは前記した目的を達成せんとするもので、請求項１の手段は、内面に仕切り壁が形成されると共に該仕切り壁によって仕切られた端部までの長さが長い側の外周に多数の空気流通孔が形成された円筒状に形成したロッド本体と、該ロッド本体の前記空気流通孔が形成された側の端部に対して着脱自在に取付けられ、吸引手段に接続された係合部材が回動自在に係合される係合部を有する閉塞部材とから構成したことを特徴とする。
【００２７】
請求項２の手段は、内面に仕切り壁が形成されると共に該仕切り壁によって仕切られた端部までの長さが長い側の外周に多数の空気流通孔が形成された円筒状に形成したロッド本体と、該ロッド本体の前記空気流通孔が形成された側の端部に対して着脱自在に取付けられ、内面に中心部分の肉厚が厚く外周部分の肉厚が薄く形成され前記ロッド本体の空気流通孔よりの流体の溜まり部を構成するための蓋部が形成されると共に前記肉厚部に吸引手段に接続された係合部材が回動自在に係合される係合孔が開口され、かつ、前記溜まり部よりの流体を前記係合孔に流すための流通孔が形成された閉塞部材とから構成したことを特徴とする。
【００２８】
請求項３の手段は、前記した請求項１または２において、前記係合部材の前記閉塞部材に回動自在に係合される部分はボール部となっており、かつ、該ボール部が係合される閉塞部材には円弧状の係合部となっており、また、前記ボール部の反対側端部には吸引チューブを接続するための円筒部が一体的に形成されていることを特徴とする。
【００２９】
請求項４の手段は、前記した請求項１または２において、前記ロッド本体と前記閉塞部材との接合面を波形等の凹凸形状とすることで、ロッド本体に対して閉塞部材が回転しないようにすると共に毛髪が継ぎ目部分に巻き込まれないようにしたことを特徴とする。
【００３０】
請求項５の手段は、前記した請求項１または２において、前記閉塞部材は、前記ロッド本体と異なる色に着色して、閉塞部材の方向を明確にして整合部材の装着方向が容易に判るようにしたことを特徴とする。
【００３１】
請求項６の手段は、前記した請求項１または２において、前記閉塞部材を少なくとも柔軟な材料の合成樹脂で構成すると共に端面に多数の凸状部を形成し、閉塞部材に対して係合部材を斜め方向から嵌め込む際に前記凸状部が変形して嵌め込みが容易にできるようにしたことを特徴とする。
【００３２】
請求項７の手段は、前記した請求項１または２において、前記ロッド本体の前記仕切り壁によって仕切られた短い側の外周面に小孔を開口してパーマ用薬液等の液体が内部に滞留しないようにしたことを特徴とする。
【発明の効果】
【００３３】
本発明は前記したように、ロッド本体に多数の空気流通孔を形成すると共に一端側を閉塞し、他端側に円弧状の接合部を有する閉塞部材を着脱自在に取付け可能となし、この接合部にボール部が回動自在に係合される係合部材とより構成したので、前記係合部材に対して温風を供給するなどによってロッドに巻かれている毛髪を早期に乾燥することができ、また、ロッド本体の洗浄時において、閉塞部材をロッド本体から外すことで洗浄を簡単に行うことができる。
【００３４】
また、閉塞部材を内面に中心部分の肉厚が厚く外周部分の肉厚が薄く形成しロッド本体の空気流通孔よりの流体の溜まり部を構成するための蓋部を形成すると共に前記肉厚部に円弧状の係合部を開口し、かつ、溜まり部よりの流体を係合部に流すための流通孔を形成したことにより、大きな口径のロッドであっても小さな口径のロッドに装着する係合部材を共用することが可能となり、これにより、口径の異なるロッドを用意することで被施術者にパーマを施すことができ、コストの低減を図ることができる。
【００３５】
さらに、前記係合部材に対して吸引チューブを接続し、毛髪にロッド本体を巻き付けた状態において毛髪に対して加熱雰囲気となし、かつ、吸引チューブを介して前記加熱雰囲気の温風を吸引することで乾燥を短時間で行うことができ、また、吸引手段のみを動作させて吸引して温まった毛髪を冷却することもでき、さらに、ロッド本体の洗浄時において、閉塞部材をロッド本体から外すことで洗浄を簡単に行うことができる。
【００３６】
また、ロッド本体と記閉塞部材との接合面を波形等の凹凸形状とすることで、ロッド本体に閉塞部材を嵌合した時にロッド本体と閉塞部材の凹凸部分が嵌め合い状態となり、ロッド本体に対して閉塞部材が回転することがなく、毛髪の巻き付けを容易に、かつ、確実に行うことができる。
【００３７】
さらに、閉塞部材の色をロッド本体の色と異なる色とすることで、毛髪をロッド本体に巻き付けた後における係合部材を装着する際に、閉塞部材の方向を容易に知ることができるので、閉塞部材と係合部材との係合を簡単に行うことが可能となり、また、ロッド本体の異なる大きさ毎に閉塞部材の色を変えることで毛髪の巻き付け時に色を見ることでロッド本体の大きさを知ることが可能となり、従って、異なる大きさのロッド本体への毛髪の巻き付け作業が容易になる。
【００３８】
また、閉塞部材を少なくとも柔軟な材料の合成樹脂で構成すると共に端面に多数の凸状部を形成することで、閉塞部材に対して係合部材を斜め方向から嵌め込む際に前記凸状部が変形するので、嵌め込みを簡単に行うことができる。
【００３９】
さらに、ロッド本体内に形成した仕切り壁によって仕切られた短い側の外周面に小孔を開口したので、パーマ用薬液等の液体が内部に滞留することなく毛髪側に流れ出すので、毛髪からロッドを外す時に滞留した液体によって衣服が汚れることがない等の効果を有するものである。
【発明を実施するための最良の形態】
【００４０】
本発明は、ロッド本体に多数の空気流通孔を形成すると共に一端側を閉塞し、他端側に円弧状の接合部を有する閉塞部材を着脱自在に取付け可能となし、この接合部にボール部が回動自在に係合される係合部材とより構成した。
【実施例１】
【００４１】
以下、本発明に係るパーマ用ロッドの実施例を図１〜図４と共に説明する。
ロッドＲはロッド本体７と、該ロッド本体７の一端開口部に対して着脱自在に嵌合される閉塞部材８と、該閉塞部材８の開口部に着脱自在で、かつ、回動自在に係合される係合部材９とより構成されている。なお、６は一端が吸引装置に接続され、他端が前記係合部材３に嵌合される吸引チューブである。
【００４２】
次に、前記した各部材の詳細について説明するに、ロッド本体７は比較的柔軟な材料の合成樹脂で成形され、全体として円筒状に形成されている。そして、円筒体の一端には毛髪を巻き付けた状態においてロッド本体７が毛髪より外れないように閉塞部材８の凹凸部８１との間で輪ゴム等を引っかけて固定するための多数の凸状部７１が形成されている。なお、ロッド本体７は必ずしも柔軟な材料である必要はない。
【００４３】
前記ロッド本体７の他端は薄肉部７２と厚肉部７３となっており、薄肉部７２の外周面にはリング状の突条７２ａが形成され、また、厚肉部７３の端面は波形等の凹凸部７３ａとなっている。さらに、ロッド本体７の長手方向に沿った外周面には毛髪滑り止め用の溝７４が多数形成され、また、前記凸状部７１に近い側の内部には仕切り壁７５が形成されている。
【００４４】
さらに、ロッド本体７の前記仕切り壁７５と前記薄肉部７２と厚肉部７３となっている端部との間の周面には多数の空気流通孔７６が多数形成され、また、前記仕切り壁７５と前記突状部７１との間の周面には薬液等の液体が内部に溜まるのを防止するための小孔７７が形成されている。なお、前記空気流通孔７６の形状としては図示のものが丸孔であるが、長手方向に沿った長孔であってもよい。
【００４５】
次に、閉塞部材８の詳細について説明するに、閉塞部材８は柔軟な材料の合成樹脂によって成形され、全体として短い円筒状に形成されている。そして、円筒体の一端には前記ロッド本体７の凸状部７１との間に輪ゴム等を引っかけるための凸状部８１が形成されている。
【００４６】
また、閉塞部材８の他端は薄肉部８２となっており、該薄肉部８２の内周面には前記ロッド本体７の薄肉部７２に形成された突条７２ａと係合されるリング状の凹条８２ａが形成され、さらに、端面には前記ロッド本体７の厚肉部７３の凹凸部７３ａと一致する凹凸部８２ｂが形成されている。また、閉塞部材８における中間部の内周面には係合部材９のボール部９２が回動自在に係合される円弧状の係合部９３が形成されている。
【００４７】
次に、係合部材９の詳細について説明するに、係合部材９は比較的硬質の合成樹脂によって成形されていおり、円筒部９１と半球状のボール部９２とから構成されている。そして、円筒部９１とボール部９２には連通孔９３が形成されており、また、円筒部９１の外周には吸引チューブ６が容易に抜け出ないように突条９１ａが円周方向に多数形成されている。
【００４８】
なお、ロッド本体７と閉塞部材８とは柔軟な合成樹脂を使用、かつ、異なる色に着色した合成樹脂で成形することが望ましい。また、接合部材９としては比較的硬質の合成樹脂で成形するが色についてはどのような色のものであってもよい。さらに、ボール部９２の開口部は軸線に対して傾斜して開口し、これにより、係合部材９の振り角を大きくして吸引力の低下を防止している。
【００４９】
このように構成したロッドＲは、毛髪を巻き付け時には、ロッド本体７に閉塞部材８を接合した状態で作業を行う。この時、ロッド本体７と閉塞部材８との色が異なることで、毛髪を巻き付けた状態において係合部材９を接続方向が容易に判るので閉塞部材８に対する係合部材９の装着を簡単に行うことができる。また、ロッド本体の異なる大きさ毎に閉塞部材の色を変えることで毛髪の巻き付け時に色を見ることでロッド本体の大きさを知ることが可能となり、従って、異なる大きさのロッド本体への毛髪の巻き付け作業が容易になる。
【００５０】
この巻き付け時において、ロッド本体７と閉塞部材８とは凹凸部７３ａ，８２ｂどうしによって係合されていので、ロッド本体７に対して閉塞部材８が回転することがないので、毛髪の巻き付け作業に支障を来すことがないと共に、毛髪がロッド本体７と閉塞部材８との接続部分に入り込むことがない。
【００５１】
そして、パーマの形状に合わせてロッド本体７への毛髪の巻き付けが終了した後に、ロッド本体７の凸状部１１と閉塞部材８の凸状部８１との間に輪ゴムを掛け回して毛髪に対してロッドＲを固定する。次いで、円筒部９１に吸引チューブ６が取付けられた接合部材９のボール部９２を閉塞部材８の係合部８３に対して斜め方向から差し込むようにして圧入して係合する。この圧入のために係合部材９を斜めにしても、閉塞部材８が柔軟性を有することから、係合部材９が閉塞部材８の凸状部８１に当接しても変形して圧入作業が簡単に行える。
【００５２】
このように構造とすることで、毛髪を巻き付け加温状態においてロッド本体７を吸引手段によって吸引した場合に、パーマ用薬液等の流体がロッド本体７の空気流通孔７６から閉塞部材８内流れ込んだ場合、ボール部９２の開口部から係合部材９内に流れ込み、この流れ込んだ流体は係合部材９内に吸引力によって吸引され、前記した図７に示した気水分離手段２４内に空気と一緒に流れ込む。そして、この気水分離手段２４において空気と流体とは分離され、流体は後に排出されるものである。
【００５３】
次に、図５の他の実施例について説明するに、この実施例のロッド本体７は前記したロッド本体７よりも口径の大きなロッドの場合、すなわち、パーマを施した時に毛髪のカールが大きなうねりになるようにする場合のロッドである。このような大きなロッドの場合に前記した実施例で使用した係合部材９を利用することはできない。すなわち、前記した実施例にあっては、閉塞部材８の内周面に係合部材９のボール部９２を係合するための係合部８３である湾曲状の凹部を形成したが、口径の大きなロッド本体７とした場合には閉塞部材８の口径を同じく大きなものとなり、従って、閉塞部材８の内周面に直接係合部８３を形成したのでは係合部材９のボール部９２を係合することは不可能となる。
【００５４】
そこで、この実施例にあっては、前記ボール部９２を係合するために、閉塞部材８の内面に中心部分８４ａの肉厚を厚くし、外周部分８４ｂの肉厚を薄く形成して前記ロッド本体７の空気流通孔７６よりの流体の溜まり部ａを構成するための蓋部８４を形成する。また、前記肉厚部分には前記した実施例で使用しているボール部９２を回動自在に係合させるための円弧状の係合部８４ｄが開口されている。さらに、前記溜まり部ａに溜まってパーマ用薬液等の流体を係合部材９内に流すための流通孔８４ｃが肉厚部分と肉薄部分の境目に形成されている。なお、ロッド本体７の構造は径が大きくなったことおよび係合部材９の構造は前記した実施例と同じであり、また、閉塞部材８とロッド本体７の色が異なることも同じであるので説明は省略する。
【００５５】
このように構造とすることで、毛髪を巻き付け加温状態においてロッド本体７を吸引手段によって吸引した場合に、パーマ用薬液等の流体がロッド本体７の空気流通孔７６から閉塞部材８の溜まり部ａに溜まっても流通孔８４ｃを介して係合部８４ｄ内に流れ込むので、ボール部９２の開口部から係合部材９内に流れ込み、この流れ込んだ流体は係合部材９内に吸引力によって吸引され、前記した図７に示した気水分離手段２４内に空気と一緒に流れ込む。そして、この気水分離手段２４において空気と流体とは分離され、流体は後に排出されるものである。
【００５６】
なお、前記毛髪の処理方法としては、毛髪をロッドに巻いた状態において加熱雰囲気状態となし、この状態においてロッド内を吸引チューブによって吸引する場合について説明したが、他の処理方法としては、チューブから温風を供給して毛髪を乾燥するような処理にも本発明のパーマ用ロッドを使用することが可能である。
【図面の簡単な説明】
【００５７】
【図１】本発明に係るパーマ用ロッドの各部材を接合した状態を示す正面図である。
【図２】同上の縦断面図である。
【図３】図１の３部材を分離した状態を示す正面図である。
【図４】図１におけるロッド本体と閉塞部材を異なる色とした場合の正面図である。
【図５】他の実施例を示す閉塞部材に係合部材を係合した状態の断面図である。
【図６】本発明のロッドを使用する毛髪処理装置の一例を示す概略側面図である。
【図７】同上の内部構成を説明するための説明図である。
【符号の説明】
【００５８】
６          吸引チューブ
Ｒ          ロッド
７          ロッド本体
７１        凸状部
７３ａ      凹凸部
７６        空気流通孔
７７        小孔
８          閉塞部材
８１        凸状部
８３        係合部
８２ｂ      凹凸部
８４        蓋部
８４ｄ      係合部
９          係合部材
９１        円筒部
９２        ボール部
【図１】
2008036193.tif 000003
【図２】
2008036193.tif 000004
【図３】
2008036193.tif 000005
【図５】
2008036193.tif 000006
【図６】
2008036193.tif 000007
【図７】
2008036193.tif 000008
【図４】
2008036193.tif 000009